(57)【要約】      （修正有）【課題】接続後の安定性を増しギャップの発生を防止し、美観を具備、結合の緊密度と構造強度が増大する。【解決手段】少なくとも第１梁材と第２梁材を具え、第２梁材の接続凸片が第１梁材の接続孔に挿入される時、第２梁材の第２平板の両側の三角凸片が第１梁材の台形溝に組み合わされ、第２梁材の第１平板のストッパ片がそれぞれ第１梁材の第１平板の下端面に突き当たる。【選択図】図２
0003102451.tif 000002
【実用新案登録請求の範囲】
【請求項１】
第１梁材と第２梁材からなり、
該第１梁材は略Ｔ形体とされ、その下方に矩形長溝が形成され、本体は二つの折面が重ね合わされてなり、本体上方両側が外向きさらに上向きに折り曲げられて第１平板及び第１直板が対称に形成され、並びに第１直板が内向きに折り曲げられて幅が第１平板より狭い第２平板が形成され、本体に貫通する吊孔と接続孔が設けられ、本体の長手方向の一端に接続凸片、弾性凸片、及び係止凸片が設けられ、該接続孔が第２梁材の接続凸片との嵌挿接続に供され、
第２梁材は、略Ｔ形体とされ、その下方に矩形長溝が形成され、本体は二つの折面が重ね合わされてなり、本体上方両側が外向きさらに上向きに折り曲げられて第１平板及び第１直板が対称に形成され、並びに第１直板が内向きに折り曲げられて幅が第１平板より狭い第２平板が形成され、且つ本体の長手方向の両端に接続凸片、弾性凸片、及び係止凸片が設けられて第１梁材の接続孔に嵌挿されて第１梁材と接続される、軽量鉄骨梁装置において、
該第１梁材は、その本体の上方の二つの第１直板にあって接続孔に対応する位置に、凹溝を具え、各凹溝が第２平板の台形溝に連通し、
該第２梁材は、その本体の上方の二つの第１平板と第１直板の側端にそれぞれ溝を具え、且つ第２平板の長手方向の両端に三角凸片を具え、該三角凸片に対応するように、第１平板の長手方向の両端に適当な面積のストッパ片が設けられ、
第２梁材の接続凸片が第１梁材の接続孔に挿入される時、第２梁材の第２平板両端の三角凸片が第１梁材の台形溝に組み合わされ、並びに第２梁材の第１平板のストッパ片が第１梁材の第１平板の下端面に突き当たり、接続後の強固性を増し、ギャップの発生を防止して良好な美観性を具備することを特徴とする、軽量鉄骨梁装置。
【請求項２】
請求項１記載の軽量鉄骨梁装置において、第１梁材の本体はフォーミング加工され、そのうち一つの折面に複数の凸部が形成され、もう一つの折面の該凸部に対応する部分に複数の凹部が形成され、この二つの折面の複数の凸部と凹部の相互に圧着により本体の二つの折面の相互結合の緊密度と構造強度を増したことを特徴とする、軽量鉄骨梁装置。
【請求項３】
請求項１記載の軽量鉄骨梁装置において、第２梁材の本体はフォーミング加工され、そのうち一つの折面に複数の凸部が形成され、もう一つの折面の該凸部に対応する部分に複数の凹部が形成され、この二つの折面の複数の凸部と凹部が相互圧着により本体の二つの折面の相互結合の緊密度と構造強度を増したことを特徴とする、軽量鉄骨梁装置。
【考案の詳細な説明】
【技術分野】
【０００１】
本考案は一種の軽量鉄骨梁装置に係り、第１梁材と第２梁材が相互に嵌挿接続された後の強固性と美観性を具えた軽量鉄骨梁装置に関する。
【背景技術】
【０００２】
周知の軽量鉄骨梁装置は図１に示されるように、第１梁材３の接続孔３１と第２梁材４の接続凸片４１が嵌挿接続された後、第２梁材４の平板部４２の側端４２１と第１梁材３の平板部３２の接触部分３２１の間に嵌挿位置の不正確或いは寸法交差過大によりギャップを非常に発生しやすく、美観に影響を与えるだけでなく、光を通しやすく、並びに接続凸片４１と接続孔３１の嵌挿接続により、組立後の強固性も低い。このほか、第１梁材３の本体は二つの折面３０が重ね合わされてなり、第２梁材４の本体もまた二つの折面（図示せず）を重ね合わせてなり、このため両者の剛性は低く、構造の強度が低い。
【考案の開示】
【考案が解決しようとする課題】
【０００３】
本考案の主要な目的は、一種の軽量鉄骨梁装置を提供することにあり、それは、第２梁材の接続凸片が第１梁材の接続孔に挿入される時、第２梁材の第２平板両側の三角凸片が第１梁材の台形溝に組み合わされ、並びに第２梁材の第１平板のストッパ片がそれぞれ第１梁材の第１平板の下端面に突き当たり、接続後の安定性を増しギャップの発生を防止し美観を具備するものとする
【０００４】
本考案の次の目的は、軽量鉄骨梁装置を提供することにあり、それは、第１梁材、第２梁材の二つ折り面にフォーミングにより相互に圧着された複数の凸部と複数の凹部が形成され、各梁材の二つ折り面の相互結合の緊密度と構造強度が増されたものとする。
【課題を解決するための手段】
【０００５】
請求項１の考案は、第１梁材と第２梁材からなり、
該第１梁材は略Ｔ形体とされ、その下方に矩形長溝が形成され、本体は二つの折面が重ね合わされてなり、本体上方両側が外向きさらに上向きに折り曲げられて第１平板及び第１直板が対称に形成され、並びに第１直板が内向きに折り曲げられて幅が第１平板より狭い第２平板が形成され、本体に貫通する吊孔と接続孔が設けられ、本体の長手方向の一端に接続凸片、弾性凸片、及び係止凸片が設けられ、該接続孔が第２梁材の接続凸片との嵌挿接続に供され、
第２梁材は、略Ｔ形体とされ、その下方に矩形長溝が形成され、本体は二つの折面が重ね合わされてなり、本体上方両側が外向きさらに上向きに折り曲げられて第１平板及び第１直板が対称に形成され、並びに第１直板が内向きに折り曲げられて幅が第１平板より狭い第２平板が形成され、且つ本体の長手方向の両端に接続凸片、弾性凸片、及び係止凸片が設けられて第１梁材の接続孔に嵌挿されて第１梁材と接続される、軽量鉄骨梁装置において、
該第１梁材は、その本体の上方の二つの第１直板にあって接続孔に対応する位置に、凹溝を具え、各凹溝が第２平板の台形溝に連通し、
該第２梁材は、その本体の上方の二つの第１平板と第１直板の側端にそれぞれ溝を具え、且つ第２平板の長手方向の両端に三角凸片を具え、該三角凸片に対応するように、第１平板の長手方向の両端に適当な面積のストッパ片が設けられ、
第２梁材の接続凸片が第１梁材の接続孔に挿入される時、第２梁材の第２平板両端の三角凸片が第１梁材の台形溝に組み合わされ、並びに第２梁材の第１平板のストッパ片が第１梁材の第１平板の下端面に突き当たり、接続後の強固性を増し、ギャップの発生を防止して良好な美観性を具備することを特徴とする、軽量鉄骨梁装置としている。
請求項２の考案は、請求項１記載の軽量鉄骨梁装置において、第１梁材の本体はフォーミング加工され、そのうち一つの折面に複数の凸部が形成され、もう一つの折面の該凸部に対応する部分に複数の凹部が形成され、この二つの折面の複数の凸部と凹部の相互に圧着により本体の二つの折面の相互結合の緊密度と構造強度を増したことを特徴とする、軽量鉄骨梁装置としている。
請求項３の考案は、請求項１記載の軽量鉄骨梁装置において、第２梁材の本体はフォーミング加工され、そのうち一つの折面に複数の凸部が形成され、もう一つの折面の該凸部に対応する部分に複数の凹部が形成され、この二つの折面の複数の凸部と凹部が相互圧着により本体の二つの折面の相互結合の緊密度と構造強度を増したことを特徴とする、軽量鉄骨梁装置としている。
【考案の効果】
【０００６】
本考案の軽量鉄骨梁装置は、第２梁材の接続凸片が第１梁材の接続孔に挿入される時、第２梁材の第２平板両側の三角凸片が第１梁材の台形溝に組み合わされ、並びに第２梁材の第１平板のストッパ片がそれぞれ第１梁材の第１平板の下端面に突き当たり、接続後の安定性を増しギャップの発生を防止し美観を具備している。
【０００７】
本考案の軽量鉄骨梁装置は、第１梁材、第２梁材の二つ折り面にフォーミングにより相互に圧着された複数の凸部と複数の凹部が形成され、各梁材の二つ折り面の相互結合の緊密度と構造強度を増している。
【考案を実施するための最良の形態】
【０００８】
本考案の軽量鉄骨梁装置は、第１梁材と第２梁材からなる。その特徴は以下のとおりである。
該第１梁材は、その本体上方の相互に対向する二つの第１直板にあって、本体に設けられた接続孔に対応する部分に、凹形溝が設けられ、各凹形溝が第２平板の台形溝と連通し、
該第２梁材は、その本体の上方の二つの第１平板と第１直板の側端にそれぞれ溝を具え、且つ第２平板の両側に三角凸片を具え、該三角凸片に対応するように、第１平板の両側に適当な面積のストッパ片が設けられている。
以上の特徴により、第２梁材の接続凸片が第１梁材の接続孔に挿入される時、第２梁材の第２平板両端の三角凸片が第１梁材の台形溝に組み合わされ、並びに第２梁材の第１平板のストッパ片が第１梁材の第１平板の下端面に突き当たり、接続後の強固性を増し、またギャップの発生を防止して良好な美観性を具備する。
【実施例１】
【０００９】
図２から図７に示されるように、本考案の軽量鉄骨梁装置は第１梁材１と第２梁材２からなる。
【００１０】
該第１梁材１は略Ｔ形体とされ、その下方に矩形長溝１０（図３）が形成され、本体は二つの折面１１が重ね合わされてなり、本体上方両側が外向きに折り曲げられて第１平板１２及び第１直板１３が対称に形成され、並びに第１直板１３が内向きに折り曲げられて幅が第１平板１２より狭い第２平板１４が形成され、また、本体に貫通する吊孔１５と接続孔１７が設けられ、且つ本体の長手方向の一端に接続凸片１８１、弾性凸片１８２、及び係止凸片１８３が設けられ、且つ接続孔１７が第２梁材２の接続凸片２８１との嵌挿接続に供される。
【００１１】
第２梁材２は、略Ｔ形体とされ、その下方に矩形長溝２０が形成され、本体は二つの折面２１が重ね合わされてなり、本体上方両側が外向きに折り曲げられて第１平板２２及び第１直板２３が対称に形成され、並びに第１直板２３が内向きに折り曲げられて幅が第１平板２２より狭い第２平板２４が形成され、且つ本体の長手方向の両端に接続凸片２８１、弾性凸片２８２、及び係止凸片２８３が設けられて第１梁材１の接続孔１７に嵌挿されて第１梁材１との嵌挿接続に供される。
【００１２】
本考案の特徴は以下のとおりである。
該第１梁材１は、その本体の上方の二つの第１直板１３にあって接続孔１７に対応する位置に、凹溝１３１を具え、各凹溝１３１が第２平板１４の台形溝１４１に連通する。
該第２梁材２は、その本体の上方の二つの第１平板２２と第１直板２３の側端にそれぞれ溝を具え、且つ第２平板の長手方向の両端に三角凸片２４１を具え、該三角凸片２４１に対応するように、第１平板２２の長手方向の両端に適当な面積のストッパ片２４１が設けられている。
【００１３】
以上の特徴により、第２梁材２の接続凸片２８１が第１梁材１の接続孔１７に挿入される時、第２梁材２の第２平板２４両端の三角凸片２４１が第１梁材１の台形溝１４１に組み合わされ、並びに第２梁材２の第１平板２２のストッパ片２２１が第１梁材１の第１平板１２の下端面１２０に突き当たり（図４）、接続後の強固性を増し、またギャップの発生を防止して良好な美観性を具備する。
【００１４】
さらに、前述の第１梁材１の本体はフォーミング加工され、そのうち一つの折面１１に複数の凸部１１１が形成され、もう一つの折面１１の該凸部１１１に対応する部分に複数の凹部１１２が形成され、この二つの折面１１の複数の凸部１１１と凹部１１２が相互に圧着された部分により本体の二つの折面１１の相互結合の緊密度と構造強度が増す。
【００１５】
また、前述の第２梁材２の本体はフォーミング加工され、そのうち一つの折面２１に複数の凸部２１１が形成され、もう一つの折面２１の該凸部２１１に対応する部分に複数の凹部２１２が形成され、この二つの折面２１の複数の凸部２１１と凹部２１２が相互に圧着された部分により本体の二つの折面２１の相互結合の緊密度と構造強度が増す。
【００１６】
総合すると、本考案は以下のような機能を具えている。
１．第２梁材２の接続凸片２８１が第１梁材１の接続孔１７に嵌挿される時、第２梁材２の第２平板２４の両端の三角凸片２４１が第１梁材１の台形溝１４１に組み合わされ、並びに第２梁材２の第１平板２２のストッパ片２２１が第１梁材１の第１平板１２の下端面１２０に突き当たり、接続後の強固性を増し、ギャップの発生を防止して美観性を増す。
２．第１梁材１と第２梁材２の二つの折面１１、２１がそれぞれフォーミングされ相互に圧着された複数の凸部１１１、２１１と凹部１１２、２１２を具え、これにより第１梁材１と第２梁材２本体の二つの折面１１、２１の相互結合の緊密度と構造強度が増す。
【００１７】
ゆえに本考案は確実にその実用効果が増されている。なお、以上の実施例は本考案の実施範囲を限定するものではなく、本考案に基づきなしうる細部の修飾或いは改変は、いずれも本考案の請求範囲に属するものとする。
【図面の簡単な説明】
【００１８】
【図１】周知の技術の分解斜視図である。
【図２】本考案の実施例中の第１梁材と第２梁材の部分立体分解図である。
【図３】本考案の実施例中の第１梁材と第２梁材の立体組合せ図である。
【図４】本考案の実施例中の第１梁材と第２梁材の別角度の部分立体組合せ図である。
【図５】本考案の実施例中の第２梁材の立体図である。
【図６】本考案の実施例中の第１梁材、第２梁材の組合せ平面図である。
【図７】本考案の実施例中の第１梁材の別角度の部分立体図である。
【符号の説明】
【００１９】
１  第１梁材              １０、２０  矩形長溝
１１、２１  折面          １１１、２１１  凸部
１１２、２１２  凹部      １２、２２  第１平板
１２０  下端面            １３、２３  第１直板
１３１  凹溝              １４、２４  第２平板
１４１  台形溝            １５  吊孔
１７  接続孔              １８１、２８１  接続凸片
１８２、２８２  弾性凸片  １８３、２８３  係止凸片
２  第２梁材
２２１  ストッパ片        ２４１  三角凸片
【図１】
0003102451.tif 000003
【図２】
0003102451.tif 000004
【図３】
0003102451.tif 000005
【図４】
0003102451.tif 000006
【図５】
0003102451.tif 000007
【図６】
0003102451.tif 000008
【図７】
0003102451.tif 000009